(57)【要約】　　　（修正有）【課題】ルーバの取付け交換が容易で、廃棄処分時にも環境への負荷の少ない紙素材で構成した軽量な照明器具を提供する。【解決手段】反射板３の横長傾斜面の対称位置に、互いに向き合うルーバ位置決め孔が定間隔に設けられ、かつ２つの傾斜面が交わる稜線上にセンタールーバ係合孔が設けられ、ルーバ９は、短材からなる複数のクロスルーバと、長尺材からなるセンタールーバと、前記両者を固定する蝶形固定部材とからなる。【選択図】　　　図１
2004014330.tif 000002
【特許請求の範囲】
【請求項１】
器具本体（１）に反射板（３）を支持し、器具本体の両端にソケットを配置し、そのソケット間に直管型蛍光ランプを装着すると共に前記反射板の上にルーバ（９）が装着される構成となっているルーバ付照明器具であって、
前記反射板（３）は、断面が略Ｖ形に形成され、かつ横長傾斜面の対称位置に、互いに向き合うルーバ位置決め孔（５）が定間隔に設けられ、かつ２つの傾斜面が交わる稜線（３ａ）上にセンタールーバ係合孔（４）が設けられ、
前記ルーバ（９）は、短材からなる複数のクロスルーバ（１４）と、長尺材からなるセンタールーバ（１０）と、前記両者を固定する蝶形固定部材（１９）とからなり、
前記クロスルーバは、反射板と向き合う辺の中央部に前記傾斜面が当接するＶ形切欠き部（１８）を有し、そのＶ形切欠き部両側に位置決め用突片（１６）が設けられ、前記Ｖ形切欠き部と反対側の辺の中央にはセンタールーバ嵌合溝（１７）が設けられ、
前記センタールーバは、反射板と向き合う辺に少なくとも前記反射板の稜線上に設ける係合孔（４）に挿入されるＬ形係止片（１１）と、前記クロスルーバのセンタールーバ嵌合溝（１７）とかみ合い固定されるクロスルーバ嵌合溝（１３）を有し、
組立て使用時に、反射板のルーバ位置決め孔（５）に、外側からクロスルーバの位置決め用突片（１６）を挿入して複数枚のクロスルーバを反射板長手方向と直交する方向に定間隔に配置し、かつセンタールーバ嵌合溝とクロスルーバ嵌合溝をかみ合せながら、反射板のセンタールーバ係合孔にセンタールーバのＬ形係止片を挿入し、さらに反射板裏面に添って前記蝶形固定部材（１９）をＬ形係止片の差込み溝に差込んで、センタールーバとクロスルーバとを反射板に対して分解自在固定することを特徴とする軽量型照明器具。
【請求項２】
前記クロスルーバ（１４）の反射板と向き合う辺の両端部に、サイドルーバ嵌合溝（２３）が設けられ、該サイドルーバ嵌合溝（２３）にそれぞれセンタールーバと略同尺のサイドルーバ（２２）をかみ合わせ固定したことを特徴とする請求項１に記載の軽量型照明器具。
【請求項３】
反射板、センタールーバ、クロスルーバ、サイドルーバ及び蝶形固定部材は、その全部または一部が防炎・耐水コートを施した段ボール又は板紙などの紙製基材からなることを特徴とする請求項１又は２に記載の軽量型照明器具。
【発明の詳細な説明】
【０００１】
【産業上の利用分野】
本発明は、オフィス、店舗，倉庫等各種建造物の天井や壁面に取付ける照明器具に関し、特に紙製の反射部材を使用して構成した軽量型照明器具の改良に係る。
【０００２】
【従来の技術】
従来、天井に取付ける照明器具は、器具本体、反射板、ランプ、ソケット、安定器その他の配線部品等で構成されている。標準的な４０Ｗ２灯用の蛍光灯器具は、矩形状の器具本体に反射板を支持し、また器具本体の両端にソケットを配置し、そのソケット間に直管型蛍光ランプを装着した構成となっている。また、グレア防止や光が広範囲に均等に照射できるようにするため、ランプと直角方向にルーバと呼ぶ反射制御部材が装着されることがある。
【０００３】
一般的に照明器具に使用されるルーバや反射板は鉄板等の金属板を折り曲げてその表面に白色塗料を塗布してなるものや鋼板の表面に樹脂系の塗料層を設けた塗装鋼板からなるものが多かった。従来のものは、器具本体と反射部材（ルーバを含む）がいずれも金属製であるため、その重量が重いという欠点がある。従って支持力が弱い天井に照明器具を設置すると天井材が器具の重量に支えられずに壊れてしまうため、専用の吊ボルト等の支持金具で支持している。
しかし、このような重量の重い照明器具は輸送時は勿論のこと、取り付け施工時、ランプ交換を含め部品の清掃・保守作業において取り扱いが不便であった。
【０００４】
また、長時間使用したルーバや反射板は埃ごみ等が付着し、反射制御性能が低下するため、年に一回程度清掃が必要であるが、ルーバの清掃は構造上困難であり、時間と費用を要するため安価で簡単に交換できるルーバが求められていた。また、交換したルーバや反射板は廃棄処分せざるを得ないが、近年環境問題があり、金属製のルーバなどを簡単に処分することも難しくなっている。こうしたことから取替えが容易で、廃棄処分時に環境への負荷の少ない照明器具が求められていた。
【０００５】
ところで、前記の要請に対応できるものとして、部品の一部に軽量で廃棄処分の容易な紙加工材使用したものが提案されている。その中に、ルーバを紙製とした先行技術が実開平４−８１４０７号公報に示されている。
この公報には、図１１、図１２に示すように、略三角柱状の反射用芯部材３１に、横長の略矩形の羽根板３４を直交するように組み合わせてルーバが構成されているものが提案されている。芯部材３１は上面に帯状のマグネットが貼着され、三角形の頂角部３２を残してその両側壁にスリット３３を刻設している。スリット３３に差し込む前記羽根板３４は、上端縁の両サイドに蛍光灯を受ける凹み切欠部３５を設けると共に下端縁中央には頂点部を開口させた略逆三角形状の切欠３６を形成し、図　に示すように、前記羽根板３４を前記スリット３３に横方向から差し込んでいき、羽根板３４の中程まで挿入した上で、切欠３６に芯部材３１の頂角部３２をはめ込んで羽根板３４を固定するものであった。
【０００６】
【発明が解決しようとする課題】
しかし、かかる構成を持ったルーバ３０は、羽根板３４をスリット３３に差し込むときは、略三角柱状に構成する芯部材３１を２つ折りの平らな状態にしておいてから、羽根板３４をその端部から横方向に羽根板の全長の約半分の距離を順次差し込んでいく必要があり、差し込み途中でつかえたり折れたりしやすいという問題があった。さらに、羽根板３４を固定するためには、羽根板に形成した小さな切欠３６に芯部材３１の小さな頂角部３２を入れ込んだ上で、２つ折りの平らな状態にあった芯部材３１を断面略三角形状に構成するので、組立作業が煩雑であった。
【０００７】
また、前記羽根板３４は、切欠３６を入れた小さな頂角部３２によって固定されているだけであるため、蛍光灯の重みや何らかの衝撃が加わった場合には前記頂角部３２が破けて羽根板３４が外れてしまうおそれがあった。
【０００８】
そこで、出願人らは先に従来品における問題点を解決するべく、ルーバを反射板に確実に位置決め保持できるとともに簡便に組み立て作業ができ、さらに、廃棄処分時に環境への負荷が少なくリサイクルも可能な難燃性の紙素材を使用した軽量で取り扱いが容易な照明器具を開発して特開平１３―２８２０４号の出願をした。
【０００９】
本発明者は、その後さらに前記のルーバと反射板の固定方法について検討した結果、先願発明よりも簡単に確実に反射板に対してルーバの取り付け取り外しができ、さらに先願発明と同様に廃棄処分時に環境への負荷が少なくリサイクルも可能な難燃性素材を使用した軽量照明器具を開発して、本発明をなすに至った。
【００１０】
【課題を解決するための手段】
すなわち、本出願人らが提案する第１の発明は、器具本体（１）に反射板（３）を支持し、器具本体の両端にソケットを配置し、そのソケット間に直管型蛍光ランプを装着されると共に前記反射板の上にルーバ（９）が装着される構成となっているルーバ付照明器具であって、
前記反射板（３）は、断面が略Ｖ形に形成され、かつ横長傾斜面の対称位置に、互いに向き合うルーバ位置決め孔（５）が定間隔に設けられ、かつ２つの傾斜面が交わる稜線（３ａ）上にセンタールーバ係合孔（４）が設けられ、
前記ルーバ（９）は、短材からなる複数のクロスルーバ（１４）と、長尺材からなるセンタールーバ（１０）と、前記両者を固定する蝶形固定部材（１９）とからなり、
前記クロスルーバは、反射板と向き合う辺の中央部に前記傾斜面が当接するＶ形切欠き部（１８）を有し、そのＶ形切欠き部両側に位置決め用突片（１６）が設けられ、前記Ｖ形切欠き部と反対側の辺の中央にはセンタールーバ嵌合溝（１７）が設けられ、
前記センタールーバは、反射板と向き合う辺に少なくとも前記反射板の稜線上に設ける係合孔（４）に挿入されるＬ形係止片（１１）と、前記クロスルーバのセンタールーバ嵌合溝（１７）とかみ合い固定されるクロスルーバ嵌合溝（１３）を有し、
組立て使用時に、反射板のルーバ位置決め孔（５）に、外側からクロスルーバの位置決め用突片（１６）を挿入して複数枚のクロスルーバを反射板長手方向と直交する方向に定間隔に配置し、かつセンタールーバ嵌合溝とクロスルーバ嵌合溝をかみ合せながら、反射板のセンタールーバ係合孔にセンタールーバのＬ形係止片を挿入し、さらに反射板裏面に添って前記蝶形固定部材（１９）をＬ形係止片の差込み溝に差込んで、センタールーバとクロスルーバとを反射板に対して分解自在固定することを特徴とする。
【００１１】
第２の発明は、前記クロスルーバ（１７）の反射板と向き合う辺の両端部に、サイドルーバ嵌合溝（２３）が設けられ、該サイドルーバ嵌合溝（２３）にそれぞれセンタールーバと略同尺のサイドルーバ（２２）をかみ合わせ固定したことを特徴とする。第３の発明は、反射板、センタールーバ、クロスルーバ、サイドルーバ及び蝶形固定部材は、その全部または一部が、防炎・耐水コートを施した段ボール又は板紙などの紙製基材からなることを特徴とする。
【００１２】
本発明によって、照明器具の軽量化が図れ、器具の分解・交換は容易であり、廃棄処分時に環境への負荷が少なくリサイクルも可能となった。
【００１３】
【発明の実施の形態】
以下、本発明の実施の一形態を図面に基づいて、さらに説明する。図１は直管型蛍光ランプを２本装着した本発明のルーバ付き照明器具の全体を示す斜視図である。すなわち、本発明の照明器具は、建物の天井に取付けることができる略矩形状をした器具本体１と、器具本体の両端に設けるランプソケット２ａと、ソケットに装着される直管型の蛍光ランプ２と、器具本体に支持される反射板３と、前記反射板の外側に装着するルーバ９とからなる。このルーバは後述するように、短材からなる複数のクロスルーバ１４と、長尺材からなるセンタールーバ１０と、固定部材１９からなっている。
図１において、反射板３は、蛍光ランプ２、２の間に位置し、該ランプの光を室内下方に向けて反射する断面略Ｖ字形した反射面を備えている。
【００１４】
この実施例では反射板３は、軽量なアルミ製の板材を折り曲げ加工して断面略Ｖ字形に形成したものを用いている。しかし難燃・耐水加工をした段ボールまたは板紙等の紙基材を用いて反射板を加工すると、アルミ材を使用する場合よりも、器具を軽量化することができて好ましい。
【００１５】
図３（ａ）（ｂ）に示すように、この実施例では略Ｖ形に形成された横長の傾斜面の下部に下方に延びる脚部を有しているが、脚部はなくてもよい。２つの傾斜面が交わる稜線３ａ上には、後述するセンタールーバの位置決め孔６とＬ形係止片を挿入する係合孔４が数箇所に形成されている。また、反射板３の横長傾斜面３ｂの対称位置に、互いに向き合うルーバ位置決め孔５が定間隔に設けられている。さらに、反射板３の横長斜面３ｂの長手方向両端には、反射板３を照明器具本体１に固定するための金具８を掛け留めるための孔７が設けられている。
【００１６】
後記のようにルーバ９は、長尺状からなるセンタールーバ１０と、短材からなるクロスルーバ１４から構成される。ルーバの材質としては、リサイクル可能な段ボール、板紙等の紙基材が好適に用いられる。紙基材の表面には、使用条件により、耐水コートを施したもの、アルミ箔等を貼着したもの、透明プラスチックフィルムをラミネートしたもの、白色反射する難燃性の不透明プラスチックフィルムをラミネートしたもの、金属または樹脂系の耐水・難燃性塗料でコートしたものなどから適宜選択し、遮光性や反射方向を多様にできる。光源の反射率を適度に保つことができることから、白色のものを用いるのが適している。
【００１７】
図２（ａ）に示すように、センタールーバ１０は反射板３と同等の長さを持った略矩形の帯状部材で形成されている。反射板３と向き合う辺（図示の下側縁）には、反射板３の稜線上に開設した係合孔４に合わせて、両端に位置決めの凸部１２を設け、またそれより内側に、ルーバを固定するためのＬ形係止片１１を突設する。さらに、該センタールーバ１０に対してクロスルーバ１４を十字型に組み合わせ固定するための嵌合溝１３を所定間隔に設ける。
図２（ｂ）はクロスルーバ１４を示し、反射板３の横幅よりも若干大きな円弧状部材で形成されている。該クロスルーバ１４はセンタールーバ１０と同様に、反射板３と向き合う辺（図示の下側縁）中央に反射板３に嵌合する略Ｖ字形切欠部１８を形成し、その両側にルーバ位置決め孔５に挿入する突片１６を設ける。なお前記突片１６の外側には、蛍光ランプの干渉を避ける半円形の切欠部１５を形成しておく。該ルーバの反対側のもう一方の辺は弧状に形成され、その中央にはセンタールーバ１０が嵌合する嵌合溝１７を形成する。
図２（ｃ）は、蝶形固定部材１９を示す。この蝶形固定部材１９は、中央に細幅の嵌合溝２０を設け、嵌合溝２０およびその延長線を折線として、両側を自在に折り曲げられる。
【００１８】
次に、遮光ルーバと反射板の組み立て方法を説明する。図４と図５に示すように、反射板３のルーバ位置決め孔５に、各クロスルーバ１４の突片１６を挿入し、クロスルーバ１４のＶ形切欠き部１８を反射板３に係合させる。
続いて図６と図７に示すように、センタールーバ１０をクロスルーバ１４の上方から反射板３の上に組み付け、センタールーバ両端の位置決め用凸部１２を反射板３の稜線上に設けた位置決め孔６に挿入し、同時にＬ形係止片１１を位置決め孔４に挿入する。しかる後、センタールーバ１０の嵌合溝１３とクロスルーバ１４の嵌合溝１７とを組み合わせることによりセンタールーバ１０とクロスルーバ１４とが反射板３の上で直交する（十字型となる）ように組み合わせる。
次に、図８に示すように、反射板３の裏面から蝶形固定部材１９をＬ形係止片１１の係止溝１１ａと反射板３の内面との間に差し込む。すなわち蝶形固定部材１９を折線により、反射板３の内面形状に合わせて折り曲げ、蝶形固定部材１９の嵌合溝２０と、係合孔４から突き出したＬ形係止片１１とが対面するような向きで、そのまま嵌合溝２０の奥まで差し込むと、蝶形固定部材１９はＬ形係止片１１の根元部分にはまり込む。根元部分が蝶形固定部材１９に挟み込まれることで、Ｌ形に突き出した係止片１１が蝶形固定部材１９に支持され係合孔４から抜け出し不可能となり、ルーバ９の組み立てが完了する。
【００１９】
図１に示すように、ルーバ９を装着した反射板３は、反射板３の横長斜面の長手方向両端に形成させた孔７を介して、照明器具本体１に固定金具８で掛け留め使用する。従って、反射板３やルーバ９は、金具８により確実に器具本体に固定されるため、脱落する恐れはない。
反射板３の取り外しは、金具８を孔７から外すことで簡単に行える。
また、ルーバを交換する際には、反射板の裏面に取り付けた蝶形固定部材をＬ形係止片から外し、係止片を反射板の係合孔から抜くことで容易に取り外しができる。
【００２０】
＜他の実施形態＞
前記の実施態様よりさらにグレア防止効果を高める手段として、図９の組立図のように、サイドルーバ２２をランプの両サイドに設けることができる。すなわち、図１０の（ａ）（ｂ）に示すように、クロスルーバの反射板と向き合う辺の両端部に、サイドルーバ嵌合溝２３を設け、該サイドルーバ嵌合溝にそれぞれセンタールーバと略同尺のサイドルーバ２２をかみ合わせる。このようにすると、センタールーバ１０とは別にサイドルーバ２２がランプ２の両サイドに並行に設けられるので、ランプ２からの光を遮光制御してグレア防止効果が向上する。
なお、図１０（ｃ〜ｄ）に示すように、このサイドルーバ２２は断面Ｕ形であり、センタールーバと略同尺で、センタールーバと同じ防炎・耐水コートを施した段ボール又は板紙などの紙製基材又は白色塗装されたアルミ材より形成され、クロスルーバと向き合う一辺に該サイドルーバに対してクロスルーバ１４を十字型に組み合わせ固定するための嵌合溝２４を所定間隔に設けている。
【００２１】
【発明の効果】
本発明の照明器具は、少なくともルーバが紙加工品により構成されているため、軽量かつ安価で、取り扱いが容易であり、製造時において複数梱包が可能となり、梱包資材の削減および施工時における開梱作業時間の短縮による省施工・省力化が図れる。さらに、使用済みのルーバを紙素材として廃棄できるので環境への負荷が少ない。
また、ルーバは反射板への取り付けが容易にあるとともに、確実に反射板に固定することができ、且つ交換時の分解作業が極めて簡便である。
【図面の簡単な説明】
【図１】本発明のルーバ付照明器具の一例を示す全体斜視図。
【図２】図２（ａ）はセンタールーバを示す平面図、図２（ｂ）はクロスルーバを示す平面図、図２（ｃ）は蝶形固定部材を示す平面図。
【図３】図３（ａ）は反射板を示す平面図、図３（ｂ）は斜視図。
【図４】反射板とクロスルーバの組立途中の状態を示す斜視図。
【図５】反射板にクロスルーバを取り付けた状態を示す正面図。
【図６】センタールーバの組立途中の状態を示す斜視図。
【図７】反射板の上にルーバを装着した状態を示す斜視図。
【図８】固定部材の取り付け状態を示す反射板裏側からの斜視図。
【図９】本発明の他の実施形態を示す組立て図
【図１０】図１０（ａ）はクロスルーバを示す平面図、図１０（ｂ）はサイドルーバを示す平面図、図１０（ｃ）はサイドルーバの拡大説明図、図１０（ｄ）はサイドルーバの断面図。
【図１１】従来のルーバと反射板の組立て例を示す斜視図。
【図１２】前記従来例のルーバの組立方法を示す断面図。
【符号の説明】
１　照明器具本体
２　蛍光ランプ
２ａ　ランプソケット
３　反射板
３ａ　稜線
４　センタールーバ係合孔
５　ルーバ位置決め孔
６　センタールーバ位置決め孔
７　孔
８　金具
９　ルーバ
１０　センタールーバ
１１　Ｌ形係止片
１２　位置決め凸部
１３　クロスルーバ嵌合溝
１４　クロスルーバ
１５　ランプの干渉孔
１６　位置決め突片
１７　センタールーバ嵌合溝
１８　Ｖ形切欠き部
１９　蝶形固定部材
２０　嵌合溝
２２　サイドルーバ
２３　サイドルーバ嵌合溝
２４　クロスルーバ嵌合溝
【図１】
2004014330.tif 000003
【図２】
2004014330.tif 000004
【図３】
2004014330.tif 000005
【図４】
2004014330.tif 000006
【図５】
2004014330.tif 000007
【図６】
2004014330.tif 000008
【図７】
2004014330.tif 000009
【図８】
2004014330.tif 000010
【図９】
2004014330.tif 000011
【図１０】
2004014330.tif 000012
【図１１】
2004014330.tif 000013
【図１２】
2004014330.tif 000014